(57)【要約】【課題】ＩＣチップに対する信号の読み書きが異なる二方向から行えるメモリーユニットでありながら、その着脱を簡便化でき、従って長期間保管する際のメモリーユニットの交換作業がより少ない手間で簡単に行えるテープカートリッジを提供する。【解決手段】本体ケース１の内面隅部に、メモリーユニットＭ用の装填部２０をＬ字状に折れ曲がる状態で形成する。本体ケース１の周壁には、装填部２０の一端に臨む部位にメモリーユニットＭを出し入れするための装填口２１が開口している。屈曲変形可能なフレキシブルプリント基板２６に、アンテナ２７とＩＣチップ２８とを実装してメモリーユニットＭを形成する。以て、メモリーユニットＭは装填口２１を介して装填部２０に出し入れ可能に差し込み装填し、交換の便を図る。メモリーユニットＭを装填部２０に装填した状態においては、フレキシブルプリント基板２６が装填部２０に沿ってＬ字状に弾性変形するので、信号の読み書きを異なる二方向から行える。【選択図】        図１
2004280935.tif 000002
【特許請求の範囲】
【請求項１】
本体ケースの内部に、情報信号を記録するテープと、前記テープを巻き込み収納するリールと、非接触式のメモリーユニットとが配置されており、
前記本体ケースの内面隅部に沿って、前記メモリーユニット用の装填部がＬ字状に折れ曲がる状態で形成されており、
前記本体ケースの周壁には、前記装填部の一端に臨む部位に前記メモリーユニットを出し入れするための装填口が開口しており、
前記メモリーユニットは、屈曲変形可能なフレキシブルプリント基板にアンテナとＩＣチップとを実装して形成されており、
前記メモリーユニットが、前記装填口を介して前記装填部に出し入れ可能に差し込み装填されることを特徴とするテープカートリッジ。
【請求項２】
前記装填部が、前記本体ケースの後壁と、前記後壁に隣接する側壁との内面隅部に形成されており、
前記装填口が、前記後壁に開口している請求項１記載のテープカートリッジ。
【請求項３】
前記装填部が、前記本体ケースの後壁と、前記後壁に隣接する側壁との内面隅部に形成されており、
前記装填口が、前記側壁に凹み形成された凹部の後端に臨んで形成されている請求項１記載のテープカートリッジ。
【請求項４】
本体ケースの内部に、情報信号を記録するテープと、前記テープを巻き取り収納するリールと、非接触式のメモリーユニットとが配置されており、
前記本体ケースの隅部に、前記メモリーユニットを装填するための装填部が、隣接するケース周壁の少なくとも一方で開口する状態で形成されており、
前記メモリーユニットは、基板と、前記基板に実装されるアンテナおよびＩＣチップと、前記基板を収容するＬ字状のメモリーケースとでカートリッジ化されており、
カートリッジ化された前記メモリーユニットが、前記装填部に対して着脱可能に装着されているテープカートリッジ。
【請求項５】
前記メモリーケースが、Ｌ字状の収容室を備えたケース本体と、ケース本体の開口を塞ぐ蓋体とを含み。
前記メモリーケースと前記本体ケースとの接合面に、互いに凹凸係合して前記メモリーケースの装着状態を維持する係合突起と係合凹部とが形成されている請求項４記載のテープカートリッジ。
【請求項６】
本体ケースの内部に、情報信号を記録するテープと、前記テープを巻き取り収納するリールと、非接触式のメモリーユニットとが配置されており、
前記本体ケースの隅部に、前記メモリーユニットを装填するための装填部が設けられており、
前記装填部に臨むケース上壁とケース底壁とのいずれか一方に、前記メモリーユニットを出し入れ操作する装填口が開口しており、
前記メモリーユニットは、基板と、前記基板に実装されるアンテナおよびＩＣチップとをＬ字状のモールド体の内部に埋設してカートリッジ化されており、
カートリッジ化された前記メモリーユニットが、前記装填口から前記装填部に対して着脱可能に装着されているテープカートリッジ。
【発明の詳細な説明】
【０００１】
【発明の属する技術分野】
本発明は、非接触式のメモリーユニットを備えているテープカートリッジに関する。
【０００２】
【従来の技術】
本発明に関して、本体ケースの内部に非接触式のメモリーユニットを配置すること、およびメモリーユニットを交換可能とすることは公知である（特許文献１参照）。そこでは、本体ケースの後隅内面に設けた装填部に対して、メモリーユニットを差し込み装填し、抜け外れ不能に係合固定している。メモリーユニットを交換する場合には、装填スロットに臨むメモリーユニットの周縁を工具で掴んで抜き出すことができる。
【０００３】
本発明において、メモリーユニットへの読み書きを本体ケースの前壁外面と側壁外面との異なる二方向から行えるようにすることは、この種のテープカートリッジに公知である（特許文献２参照）。そこでは、断面Ｌ字状の基板の各面壁にアンテナを配置し、片方の面壁にＩＣチップを装着してメモリーユニットを構成し、各面壁が本体ケースの内隅に沿うように基板を固定している。アンテナおよびＩＣチップの外面は絶縁性の接着剤で封止されている。
【０００４】
【特許文献１】
特開２００１−２６６５３４号公報（段落番号００２５、図１）
【特許文献２】
特開２００２−１１７６４４号公報（段落番号００２７、図６）
【０００５】
【発明が解決しようとする課題】
この種のメモリーユニットのＩＣチップには、テープに記録されたデータファイルのディレクトリーや使用履歴データなどの管理情報と、ロット番号、テープの仕様や特性等のメーカー情報とが記録される。これらの情報が無限に保存されることはない。テープカートリッジを長期間保管する場合には、ＩＣチップの寿命期限が到来する毎に新規なＩＣチップと交換して、情報を更新する必要がある。この点、特許文献１のメモリーユニットは平板状に形成してあり、装填スロットから出し入れできるので、メモリーユニットの交換を少ない手間で簡便に行える。しかし、アンテナの指向方向が本体ケースの一側面に限られるので、テープドライブにおけるメモリーリーダの配置位置に制約がある不便を免れない。
【０００６】
ＩＣチップに対する信号の読み書きを異なる二方向から行えるようにした特許文献２のメモリーユニットでは、隣接する２側面のうち都合の良い側を選択してメモリーリーダを配置でき、あるいは信号のやり取りを異なる二方向から行うことにより通信距離を伸ばせる利点がある。問題は、メモリーユニットが断面Ｌ字上に形成してあるため、本体ケースを分解したうえで、メモリーユニットを出し入れしなければならず、メモリーユニットの取り外しや再組み付けに多くの手間が掛かる点にある。
【０００７】
本発明の目的は、ＩＣチップに対する信号の読み書きが異なる二方向から行えるメモリーユニットでありながら、その着脱が簡便に行え、従って長期間保管する際のメモリーユニットの交換作業がより少ない手間で簡単に行えるテープカートリッジを提供することにある。
【０００８】
【課題を解決するための手段】
第１の本発明に係るテープカートリッジは、本体ケース１の内部に、情報信号を記録するテープ３と、テープ３を巻き込み収納するリール２と、非接触式のメモリーユニットＭとが配置されている。図１に示すように、本体ケース１の内面隅部に沿って、メモリーユニットＭ用の装填部２０が、Ｌ字状に折れ曲がる状態で形成されている。本体ケース１の周壁には、装填部２０の一端に臨む部位にメモリーユニットＭを出し入れするための装填口２１が開口している。メモリーユニットＭは、屈曲変形可能なフレキシブルプリント基板２６にアンテナ２７とＩＣチップ２８とを実装して形成する。以て、メモリーユニットＭが、装填口２１を介して装填部２０に出し入れ可能に差し込み装填されることを特徴とする（請求項１）。
【０００９】
前記装填部２０は、本体ケース１の後壁１７と、この後壁１７に隣接する側壁１８との内面隅部に形成し、前記装填口２１を後壁１７に開口することができる。
【００１０】
また、前記装填部２０は、図６に示すごとく本体ケース１の後壁１７と、この後壁１７に隣接する側壁１８との内面隅部に形成し、装填口２１が側壁１８に凹み形成された凹部３１の後端に臨むよう形成することができる。
【００１１】
第２の本発明に係るテープカートリッジは、図７に示すごとく本体ケース１の内部に、情報信号を記録するテープ３と、テープ３を巻き取り収納するリール２と、非接触式のメモリーユニットＭとが配置されている。そのうえで、本体ケース１の隅部に、メモリーユニットＭを装填するための装填部２０が、隣接するケース周壁の少なくとも一方で開口する状態で形成されている。メモリーユニットＭは、基板２６と、基板２６に実装されるアンテナ２７およびＩＣチップ２８と、基板２６を収容するＬ字状のメモリーケース３３とでカートリッジ化されており、そのメモリーユニットＭが装填部２０に対して着脱可能に装着されている（請求項４）。
【００１２】
具体的には、前記メモリーケース３３がＬ字状の収容室を備えたケース本体３５と、ケース本体３５の開口を塞ぐ蓋体３６とを含み、メモリーケース３３と本体ケース１との接合面に、互いに凹凸係合してメモリーケース３３の装着状態を維持する係合突起３４と係合凹部３７とが形成されている。
【００１３】
第３の本発明に係るテープカートリッジは、本体ケース１の内部に、情報信号を記録するテープ３と、テープ３を巻き取り収納するリール２と、非接触式のメモリーユニットＭとが配置されている。本体ケース１の隅部には、メモリーユニットＭを装填するための装填部２０を設ける。この装填部２０に臨むケース上壁とケース底壁とのいずれか一方には、メモリーユニットＭを出し入れ操作する装填口２１が開口してある。図１０に示すように、メモリーユニットＭは、基板２６と、基板２６に実装されるアンテナ２７およびＩＣチップ２８とをＬ字状のモールド体４１の内部に埋設してカートリッジ化し、メモリーユニットＭが装填口２１から装填部２０に対して着脱可能に装着されている（請求項６）。
【００１４】
【発明の作用効果】
第１の本発明では、本体ケース１の内面隅部に沿ってＬ字状に折れ曲がる装填部２０を形成し、この装填部２０に対してメモリーユニットＭを出し入れできる。具体的には、屈曲変形可能なフレキシブルプリント基板２６にアンテナ２７とＩＣチップ２８とを実装して、メモリーユニットＭをＬ字状に折れ曲がる装填部２０に沿って屈曲変形できるようにした。従って、本発明によれば、ＩＣチップ２８に対する信号の読み書きが、隣接する壁面に沿うアンテナ２７を介して異なる二方向から行え、必要時にはメモリーユニットＭの着脱を簡便に行うことができ、テープカートリッジを長期間保管する際のメモリーユニットＭの交換作業がより少ない手間で簡便化できる。
【００１５】
本体ケース１の後壁１７と、この後壁１７に隣接する側壁１８との内面隅部に装填部２０を形成し、その装填口２１が後壁１７側の端部に開口していると、後壁１７と側壁１８とをそのまま利用しながら、本体ケース１の一部を変更するだけで装填部２０および装填口２１を形成でき、ＩＣチップ２８に対する信号の読み書きを異なる二方向から行いながら、メモリーユニットＭの着脱を簡便に行えるテープカートリッジをより低コストで提供できる。
【００１６】
本体ケース１の後壁１７と、この後壁１７に隣接する側壁１８との内面隅部に装填部２０を形成し、その装填口２１が側壁１８に凹み形成された凹部３１の後端に臨むよう形成されていると、側壁１８の側からメモリーユニットＭを出し入れできるので、例えば、上記のように装填口２１が開口される後壁１７を利用してインデックスカードが装着してある場合に比べて、インデックスカードを取り外す必要もなくメモリーユニットＭの出し入れの簡便化を図れる。
【００１７】
第２の本発明に係るテープカートリッジでは、基板２６と、基板２６に実装されるアンテナ２７およびＩＣチップ２８と、基板２６を収容するＬ字状のメモリーケース３３とでメモリーユニットＭをカートリッジ化し、カートリッジ化したメモリーユニットＭが、本体ケース１の隅部に設けた装填部２０に対して、ケース周面の側から着脱可能に装着されるようにしたので、ＩＣチップ２８に対する信号の読み書きが、隣接する壁面に沿うアンテナ２７を介して異なる二方向から行える。必要時にはメモリーユニットＭの着脱が簡便に行え、テープカートリッジを長期間保管する際のメモリーユニットＭの交換作業をより少ない手間で簡単に行うことができる。メモリーユニットＭがカートリッジ化されているので、その交換時などに、アンテナ２７やＩＣチップ２８を傷つける心配がなく、交換作業がさらに容易になる。
【００１８】
第２の本発明に係るテープカートリッジでは、基板２６と、基板２６に実装されるアンテナ２７およびＩＣチップ２８とをＬ字状のモールド体４１の内部に埋設してメモリーユニットＭをカートリッジ化し、カートリッジ化したメモリーユニットＭが、本体ケース１の隅部に設けた装填部２０に対して上下方向から着脱可能に装着されるようにしたので、ＩＣチップ２８に対する信号の読み書きが、隣接する壁面に沿うアンテナ２７を介して異なる二方向から行える。必要時にはメモリーユニットＭの着脱が簡便に行え、テープカートリッジを長期間保管する際のメモリーユニットＭの交換作業をより少ない手間で簡単に行うことができる。基板２６、アンテナ２７、およびＩＣチップ２８などのメモリーユニットＭの構成部品は、モールド体４１内に埋設して封入してあるので、温度や湿度などの周囲環境の変化によるメモリーユニットＭの劣化や機能の低下を極力避けることができ、その分だけメモリーユニットＭの耐久性が向上する。
【００１９】
【実施例】
（実施例１）  図１ないし図４は、本発明に係る単リール型のテープカートリッジの実施例１を示す。図３においてテープカートリッジは、上下ケース１ａ・１ｂを蓋合わせ状に結合してなる角箱状のケース本体１を有し、その内部に配置した１個のリール２にテープ（磁気テープ）３が巻き込んである。ケース本体１の前側にはテープ引出口４が開口しており、このテープ引出口４は縦軸まわりに揺動するドア５で開閉できる。ドア５はばねで閉じ勝手に揺動付勢してあり、図外のロック機構で閉じ状態で保持できる。上下ケース１ａ・１ｂは、本体ケース１の内隅と、テープ引出口４の近傍に設けた４個のボス６どうしをビス７で締結することにより一体化してある。
【００２０】
ケース本体１の対向する前方右側および後方左側の内隅の２箇所には、リール２のフランジ外周に設けたギヤ歯と係合して、不使用時のリール２を遊転不能にロック保持するリールロック１０・１１が配置されている。ケース本体１内の後方右隅部には、誤消去防止用の切換えピース１２を設けてある。リール２と上ケース１ａとの間には、リール２を下ケース１ｂへ向かって押し下げ付勢するばね１３を配置してあり、このばね１３とリール２とは、ばね受プラグ１４と、リール２に装着したベアリング１５とを介して接当している。
【００２１】
テープ３に記録されたデータファイルのディレクトリーや使用履歴データなどの管理情報、およびテープカートリッジのロット番号、テープ３の仕様や特性等のメーカー情報などを記録するために非接触式のメモリーユニットＭを備えており、このメモリーユニットＭが本体ケース１の内部に形成した装填部２０に配されている。
【００２２】
装填部２０は、本体ケース１の後壁１７と、図１における左側の側壁１８とが交わる内面隅部に沿ってＬ字状に形成されており、装填部２０にメモリーユニットＭを出し入れするための装填口２１が後壁１７側に開口している。図１および図２において装填部２０は、前記隅部に臨む後壁１７および左側壁１８と、上下ケース１ａ・１ｂの上壁および底壁から後壁１７および左側壁１８と平行に突設されたガイド壁２２・２３とで、上面側から見てＬ字状の独立した区画として形成されている。
【００２３】
このように装填部２０と本体ケース１の内部空間とが、ガイド壁２２・２３で区分されていると、長期保管時に装填部２０内に侵入した塵埃が本体ケース１内へ入り込むのを確実に防止できる。図１において装填口２１は、後壁１７と、ボス６に連続するガイド壁２４とで形成され、後壁１７に凹み形成したインデックス挿入凹部２５に対して角度θだけ傾けることにより、メモリーユニットＭの出し入れの容易化を図っている。
【００２４】
図４においてメモリーユニットＭは、屈曲変形可能なフレキシブルプリント基板２６にアンテナ２７とＩＣチップ２８とを実装して形成されており、アンテナ２７およびＩＣチップ２８の外面は絶縁性接着剤で被覆されている。
【００２５】
メモリーユニットＭは、ＩＣチップ２８側の端部を装填終端にして、前記装填口２１から装填部２０に差し込み装填する。装填状態における基板２６は、図１に示すように装填部２０の形状に沿ってＬ字状に弾性変形し、自己の弾性で後壁１７および側壁１８の内面に密着し、これで装填状態に維持できる。この装填状態においては、アンテナ２７が後壁１７および側壁１８に沿って屈曲するので、ＩＣチップ２８に対する信号の読み書きが、異なる二方向から行える。また、ＩＣチップ２８が後壁１７の内面で受け止められて、ＩＣチップ２８の周辺のフレキシブルプリント基板２６が後壁１７から浮離れている。従って、メモリーユニットＭを交換する際には、基板２６の端縁をピンセットなどの工具で容易に掴んで抜き出すことができる。必要があれば、装填口２１を粘着テープや封緘紙等で封止してもよい。
【００２６】
（実施例２）  図５および図６は装填部２０の構造を変更した本発明の実施例２を示す。そこでは、実施例１と同様に、本体ケース１の後壁１７と左側の側壁１８との内面隅部に沿って装填部２０がＬ字状に形成されているが、メモリーユニットＭを出し入れするための装填口２１は、側壁１８に凹み形成される凹部３１の後端に臨んで開口する点が異なる。このように凹部３１側に装填口２１が設けられていると、インデックス挿入凹部２５にインデックスカードを装填してあっても、同カードをいちいち取り外す必要もなくメモリーユニットＭを出し入れできるので、メモリーユニットＭの交換はより少ない手間で簡便に行える。
【００２７】
メモリーユニットＭを装填部２０に装填した状態においては、アンテナ２７が後壁１７および側壁１８に沿って屈曲するので、ＩＣチップ２８に対する信号の読み書きを異なる二方向から行える。他は実施例１と実質的に同じであるので、同じ部材には同じ符号を付してその説明を省略する。以下の各実施例においても同様に扱う。
【００２８】
（実施例３）  図７および図８は本発明の実施例３を示しており、メモリーユニットＭが、基板２６と、基板２６に実装されるアンテナ２７およびＩＣチップ２８と、基板２６を収容するＬ字状のメモリーケース３３とでカートリッジ化されており、カートリッジ化したメモリーユニットＭを装填部２０に対して着脱可能に装着するようにした点が先の実施例とは異なる。
【００２９】
詳しくは、図７に示すごとく本体ケース１の後隅部に臨む後壁１７および側壁１８の一部を省略して、メモリーユニットＭを装填するためのＬ字状の装填部（装填空間）２０を開放状に確保する。そして、後壁１７および側壁１８が省略された部分は、上下面が上下ケース１ａ・１ｂの上壁および底壁で覆われて、後面および側面でそれぞれ開口しており、この開口部分が装填口２１になるようにした。そこでは上下ケース１ａ・１ｂの上壁および底壁にメモリーユニットＭを係合保持する３個の係合突起３４がそれぞれ形成されている。
【００３０】
メモリーケース３３は、それぞれプラスチック成形品からなるＬ字状の収容室を備えたケース本体３５と、ケース本体３５の上面開口を塞ぐ蓋体３６とで構成する。ケース本体３５にメモリーユニットＭを装填したのち、蓋体３６をケース本体３５に接着固定してメモリーユニットＭを封入する。蓋体３６の上面３個所、およびケース本体３５の下面３個所には、前記係合突起３４と係合する係合凹部３７がそれぞれ形成されている。ケース本体３５における側壁側の前端には、指掛け部３８が形成されており、後壁１７側の側端上下には、後壁１７と係合する突起３９が形成されている（図８参照）。なお、実施例３における基板２６は、フレキシブルプリント基板で形成する必要はなく、横断面をＬ字状とした硬質の基板で形成することができる。
【００３１】
カートリッジ化したメモリーユニットＭを装填部２０に装着した状態においては、図８に示すように、アンテナ２７が後壁１７および側壁１８に沿って屈曲するので、ＩＣチップ２８に対する信号の読み書きを異なる二方向から行うことができる。メモリーユニットＭを交換する場合には、指掛け部３８に力を加えてケース側方へ抜き出すことで、メモリーユニットＭは本体ケース１から簡単に取り外せる。保管状態においては、装填口２１の全てがメモリーケース３３で塞がれるので、塵埃などの異物が装填部２０を介して本体ケース１内に入り込むのをよく防止できる。
【００３２】
（実施例４）  上記のようにカートリッジ化したメモリーユニットＭを本体ケース１に組み付けた状態においては、その上下面が上下ケース１ａ・１ｂの上壁および底壁で覆われてしまう。従って、実施例３における蓋体３６を省略して、図９の実施例４に示すように、ケース本体３５のみでメモリーケース３３をしてもよい。その場合には、ケース本体３５の上面に係合凹部３７を設けることになる。
【００３３】
（実施例５）  図１０ないし図１２は、カートリッジ化したメモリーユニットＭを用いる本発明の実施例５を示す。そこでは、基板２６と、基板２６に実装されるアンテナ（図示していない）およびＩＣチップ２８とを横断面がＬ字状のモールド体４１の内部に埋設して、メモリーユニットＭをカートリッジ化した。モールド体４１はエポキシ樹脂やウレタン樹脂などを成形型に流し込んで形成する。このように、メモリーユニットＭの構成部品をモールド体４１内に埋設して封入すると、温度や湿度などの周囲環境の変化によるメモリーユニットＭの劣化や機能の低下を極力避けることができるので、その分だけメモリーユニットＭの耐久性が向上する。
【００３４】
上記のメモリーユニットＭを装填するために、本体ケース１の後壁１７と、左側の側壁１８との内面隅部に沿って装填部２０を設け、装填部２０に臨む上ケース１ａの上壁にメモリーユニットＭを出し入れ操作するための装填口２１が開口している。この装填部２０は、図１１に示すように、本体ケース１の後壁１７および側壁１８と、両壁１７・１８の内面に沿って一体に形成したＬ字状の装着壁４２とで区画する。側壁１８と平行な装填口２１の開口部分の左右には、ピンセットなどの抜き取り工具を差し込むための掴み穴４３が凹み形成されている。装填部２０に差し込み装着したモールド体４１の抜け出しを防ぐために、モールド体４１と装着壁４２との間には、係合突起３４と係合凹部３７とが形成されている。符号４４は位置決めリブである。
【００３５】
メモリーユニットＭを装填部２０に差し込み装填した状態においては、図１２に示すように、モールド体４１の上面が上ケース１ａの上面と面一になるので、テープドライブに対するテープカートリッジの出し入れに支障を来すことはない。メモリーユニットＭを交換する場合には、図１２に示すように、ピンセットを掴み穴４３に差し込んでモールド体４１を捕捉固定し、係合突起３４と係合凹部３７との係合力に逆らって、メモリーユニットＭを装填部２０から抜き取り操作する。
【００３６】
上記の各実施例以外に、本発明のテープカートリッジは単リール型以外の例えばオーディオ用やビデオ用にも適用できる。メモリーユニットＭは、本体ケース１の内部構造の違いに応じて、実施例で説明した内隅以外の隅部分に配置してもよい。必要に応じて、本体ケース１の上壁または底壁と、これらの壁に隣接するケース周壁とにわたってメモリーユニットＭを配置することができる。アンテナ２７は、屈曲する壁面のそれぞれに独立して形成することができる。実施例３における装填口２１は、後壁１７と側壁１８とのいずれか一方に設けた開口のみで形成してもよい。さらに、係合突起３４はメモリーケース３３側に設け、係合凹部３７は本体ケース１側に設けることができ、その配設位置も後壁１７や側壁１８を利用することができる。
【図面の簡単な説明】
【図１】メモリーユニットＭの装填構造を示す横断平面図である。
【図２】図１におけるＡ−Ａ線断面図である。
【図３】テープカートリッジの横断平面図である。
【図４】テープカートリッジを背面側から見た斜視図である。
【図５】実施例２のテープカートリッジを正面側から見た斜視図である。
【図６】実施例２のメモリーユニットの装填構造を示す横断平面図である。
【図７】実施例３のメモリーユニットの装填構造を示す斜視図である。
【図８】実施例３のメモリーユニットの装填構造を示す横断平面図である。
【図９】実施例４のメモリーユニットを示す斜視図である。
【図１０】実施例５のメモリーユニットの装填構造を示す分解斜視図である。
【図１１】実施例５のメモリーユニットの装填構造を示す横断平面図である。
【図１２】実施例５のメモリーユニットの装填構造を示す斜視図である。
【符号の説明】
１  本体ケース
２  リール
３  テープ
１７  本体ケースの後壁
１８  本体ケースの側壁
２０  装填部
２１  装填口
２６  フレキシブルプリント基板
２７  アンテナ
２８  ＩＣチップ
Ｍ  メモリーユニット
【図１】
2004280935.tif 000003
【図２】
2004280935.tif 000004
【図３】
2004280935.tif 000005
【図４】
2004280935.tif 000006
【図５】
2004280935.tif 000007
【図６】
2004280935.tif 000008
【図７】
2004280935.tif 000009
【図８】
2004280935.tif 000010
【図９】
2004280935.tif 000011
【図１０】
2004280935.tif 000012
【図１１】
2004280935.tif 000013
【図１２】
2004280935.tif 000014